(57)【要約】【課題】  任意の地点において通話が可能か否かを定期的あるいは任意のタイミングで確認することができる電波状況確認システム、その方法およびプログラムを提供する。【解決手段】  簡易ＴＴＲ  Ｍａｎａｇｅｒ１０２は、簡易ＴＴＲ１００に定期的にポーリングをかけ、簡易ＴＴＲ１００は、着信および発信を行ない、簡易ＴＴＲ  Ｍａｎａｇｅｒ１０２は、簡易ＴＴＲ１００が正常に着呼したかを判断し、判断結果を表示して判断結果を記録する。【選択図】  図１
2006166380.tif 000002
【特許請求の範囲】
【請求項１】
ネットワークを介して接続されている簡易ＴＴＲと、簡易ＴＴＲ  Ｍａｎａｇｅｒと、を含む電波状況確認システムであって、
前記簡易ＴＴＲは、着信および発信を行なう電話手段と、
前記簡易ＴＴＲ  Ｍａｎａｇｅｒは、前記簡易ＴＴＲに定期的にポーリングをかける定期ポーリング手段と、
前記簡易ＴＴＲが正常に着呼したかを判断し、判断結果を表示する表示手段と、
前記判断結果を記録する記録手段と、
を備えることを特徴とする電波状況確認システム。
【請求項２】
ネットワークを介して接続されている電話機と、簡易ＴＴＲと、簡易ＴＴＲ  Ｍａｎａｇｅｒと、を含む電波状況確認システムであって、
前記電話機は、前記簡易ＴＴＲに任意に発呼する任意発呼手段を備え、
前記簡易ＴＴＲは、着信および発信を行なう電話手段と、
自動着信した後何らかの音を発して、その後自動的に通話を切断する発音手段と、を備え、
前記簡易ＴＴＲ  Ｍａｎａｇｅｒは、前記簡易ＴＴＲが正常に着呼したかを判断し、判断結果を表示する表示手段と、
前記判断結果を記録する記録手段と、
を備えることを特徴とする電波状況確認システム。
【請求項３】
前記簡易ＴＴＲ  Ｍａｎａｇｅｒまたは前記電話機は、前記簡易ＴＴＲに所定期間内に複数回発呼する複数回発呼手段をさらに備え、
前記簡易ＴＴＲは、前記複数回発呼をトリガとして自動発呼する発呼先番号をさらに備えることを特徴とする請求項１または２記載の電波状況確認システム。
【請求項４】
前記簡易ＴＴＲは、発呼先番号に対して定期的に発呼を実施する定期発呼手段と、
発呼の成否を判断する判断手段と、
成否について、送信先に送信する送信手段と、
をさらに備えることを特徴とする請求項３記載の電波状況確認システム。
【請求項５】
ネットワークを介して接続されている簡易ＴＴＲと、簡易ＴＴＲ  Ｍａｎａｇｅｒと、を利用した電波状況確認方法であって、
前記簡易ＴＴＲ  Ｍａｎａｇｅｒが、定期ポーリング手段によって前記簡易ＴＴＲに定期的にポーリングをかけるステップを有し、
前記簡易ＴＴＲが、電話手段によって着信および発信を行なうステップと、
前記簡易ＴＴＲが正常に着呼したかを判断し、表示手段によって判断結果を表示するステップと、
記録手段によって前記判断結果を記録するステップと、
を有することを特徴とする電波状況確認方法。
【請求項６】
ネットワークを介して接続されている電話機と、簡易ＴＴＲと、簡易ＴＴＲ  Ｍａｎａｇｅｒと、を利用した電波状況確認方法であって、
前記電話機が、任意発呼手段によって前記簡易ＴＴＲに任意に発呼するステップを有し、
前記簡易ＴＴＲが、電話手段によって着信および発信を行なうステップと、
発音手段によって自動着信した後何らかの音を発して、その後自動的に通話を切断するステップと、を有し、
前記簡易ＴＴＲ  Ｍａｎａｇｅｒが、前記簡易ＴＴＲが正常に着呼したかを判断し、表示手段によって判断結果を表示するステップと、
記録手段によって前記判断結果を記録するステップと、
を有することを特徴とする電波状況確認方法。
【請求項７】
前記簡易ＴＴＲ  Ｍａｎａｇｅｒまたは前記電話機が、複数回発呼手段によって前記簡易ＴＴＲに所定期間内に複数回発呼するステップをさらに有し、
前記簡易ＴＴＲが、前記複数回発呼をトリガとして発呼先番号宛てに自動発呼するステップをさらに有することを特徴とする請求項５または６記載の電波状況確認方法。
【請求項８】
前記簡易ＴＴＲが、定期発呼手段によって発呼先番号に対して定期的に発呼を実施するステップと、
判断手段によって発呼の成否を判断するステップと、
送信手段によって成否について、送信先に送信するステップと、
をさらに有することを特徴とする請求項７記載の電波状況確認方法。
【請求項９】
簡易ＴＴＲ  Ｍａｎａｇｅｒに、定期ポーリング手段によって簡易ＴＴＲに定期的にポーリングをかけるステップを実行させ、
前記簡易ＴＴＲに、電話手段によって着信および発信を行なうステップと、
前記簡易ＴＴＲが正常に着呼したかを判断し、表示手段によって判断結果を表示するステップと、
記録手段によって前記判断結果を記録するステップと、
を実行させることを特徴とするプログラム。
【請求項１０】
電話機に、任意発呼手段によって簡易ＴＴＲに任意に発呼するステップを実行させ、
前記簡易ＴＴＲに、電話手段によって着信および発信を行なうステップと、
発音手段によって自動着信した後何らかの音を発して、その後自動的に通話を切断するステップと、を実行させ、
簡易ＴＴＲ  Ｍａｎａｇｅｒに、前記簡易ＴＴＲが正常に着呼したかを判断し、表示手段によって判断結果を表示するステップと、
記録手段によって前記判断結果を記録するステップと、
を実行させることを特徴とするプログラム。
【請求項１１】
前記簡易ＴＴＲ  Ｍａｎａｇｅｒまたは前記電話機に、複数回発呼手段によって前記簡易ＴＴＲに所定期間内に複数回発呼するステップをさらに実行させ、
前記簡易ＴＴＲに、前記複数回発呼をトリガとして発呼先番号宛てに自動発呼するステップをさらに実行させることを特徴とする請求項９または１０記載のプログラム。
【請求項１２】
前記簡易ＴＴＲに、定期発呼手段によって発呼先番号に対して定期的に発呼を実施するステップと、
判断手段によって発呼の成否を判断するステップと、
送信手段によって成否について、送信先に送信するステップと、
をさらに実行させることを特徴とする請求項１１記載のプログラム。
【発明の詳細な説明】
【技術分野】
【０００１】
本発明は、無線通信におけるエリアあるいは基地局の電波状況確認システム、その方法およびプログラムに関する。
【背景技術】
【０００２】
従来、エリアあるいは基地局についての通話確認を行なうには、予め携帯電話機をその場所に設置しておいてオペレータが手動で電話をかけて着信を確認するか、オペレータがその設置場所まで移動して発信や着信を確認していた。
【０００３】
また、定期的に発信や着信を確認するためには、時間帯を問わずオペレータが定期的に電話をかけることが必要であった。
【０００４】
ここで、時刻情報をＧＰＳなどから受信し、指定時刻になった時点で端末局と制御装置が音声導通試験を同時かつ自動的に行なうことで、無人かつ自動的な音声導通試験を実現する技術が提案されている（例えば、特許文献１参照）。
【特許文献１】特開２００３−３０９５１４号公報
【発明の開示】
【発明が解決しようとする課題】
【０００５】
しかしながら、上述した従来例においては次のような問題点があった。
【０００６】
発着信可能かどうか確認したい地点に携帯電話機を設置し、オペレータが電話をかけることで確認を行っていたため、いちいち１箇所ずつ電話する手間がかかって煩わしく、また、発呼の確認を行なうことが困難であるという問題点があった。
【０００７】
そこで、本発明は、任意の地点において通話が可能か否かを定期的あるいは任意のタイミングで確認することができる電波状況確認システム、その方法およびプログラムを提供することを目的とする。
【課題を解決するための手段】
【０００８】
請求項１記載の発明は、ネットワークを介して接続されている簡易ＴＴＲと、簡易ＴＴＲ  Ｍａｎａｇｅｒと、を含む電波状況確認システムであって、簡易ＴＴＲは、着信および発信を行なう電話手段と、簡易ＴＴＲ  Ｍａｎａｇｅｒは、簡易ＴＴＲに定期的にポーリングをかける定期ポーリング手段と、簡易ＴＴＲが正常に着呼したかを判断し、判断結果を表示する表示手段と、判断結果を記録する記録手段とを備えることを特徴とする電波状況確認システムである。
【０００９】
請求項２記載の発明は、ネットワークを介して接続されている電話機と、簡易ＴＴＲと、簡易ＴＴＲ  Ｍａｎａｇｅｒと、を含む電波状況確認システムであって、電話機は、簡易ＴＴＲに任意に発呼する任意発呼手段を備え、簡易ＴＴＲは、着信および発信を行なう電話手段と、自動着信した後何らかの音を発して、その後自動的に通話を切断する発音手段とを備え、簡易ＴＴＲ  Ｍａｎａｇｅｒは、簡易ＴＴＲが正常に着呼したかを判断し、判断結果を表示する表示手段と、判断結果を記録する記録手段とを備えることを特徴とする電波状況確認システムである。
【００１０】
請求項３記載の発明は、請求項１または２記載の電波状況確認システムにおいて、簡易ＴＴＲ  Ｍａｎａｇｅｒまたは電話機は、簡易ＴＴＲに所定期間内に複数回発呼する複数回発呼手段をさらに備え、簡易ＴＴＲは、複数回発呼をトリガとして自動発呼する発呼先番号をさらに備える。
【００１１】
請求項４記載の発明は、請求項３記載の電波状況確認システムにおいて、簡易ＴＴＲは、発呼先番号に対して定期的に発呼を実施する定期発呼手段と、発呼の成否を判断する判断手段と、成否について、送信先に送信する送信手段とをさらに備える。
【００１２】
請求項５記載の発明は、ネットワークを介して接続されている簡易ＴＴＲと、簡易ＴＴＲ  Ｍａｎａｇｅｒと、を利用した電波状況確認方法であって、簡易ＴＴＲ  Ｍａｎａｇｅｒが、定期ポーリング手段によって簡易ＴＴＲに定期的にポーリングをかけるステップを有し、簡易ＴＴＲが、電話手段によって着信および発信を行なうステップと、簡易ＴＴＲが正常に着呼したかを判断し、表示手段によって判断結果を表示するステップと、記録手段によって判断結果を記録するステップとを有することを特徴とする電波状況確認方法である。
【００１３】
請求項６記載の発明は、ネットワークを介して接続されている電話機と、簡易ＴＴＲと、簡易ＴＴＲ  Ｍａｎａｇｅｒと、を利用した電波状況確認方法であって、電話機が、任意発呼手段によって簡易ＴＴＲに任意に発呼するステップを有し、簡易ＴＴＲが、電話手段によって着信および発信を行なうステップと、発音手段によって自動着信した後何らかの音を発して、その後自動的に通話を切断するステップとを有し、簡易ＴＴＲ  Ｍａｎａｇｅｒが、簡易ＴＴＲが正常に着呼したかを判断し、表示手段によって判断結果を表示するステップと、記録手段によって判断結果を記録するステップとを有することを特徴とする電波状況確認方法である。
【００１４】
請求項７記載の発明は、請求項５または６記載の電波状況確認方法において、簡易ＴＴＲ  Ｍａｎａｇｅｒまたは電話機が、複数回発呼手段によって簡易ＴＴＲに所定期間内に複数回発呼するステップをさらに有し、簡易ＴＴＲが、複数回発呼をトリガとして発呼先番号宛てに自動発呼するステップをさらに有する。
【００１５】
請求項８記載の発明は、請求項７記載の電波状況確認方法において、簡易ＴＴＲが、定期発呼手段によって発呼先番号に対して定期的に発呼を実施するステップと、判断手段によって発呼の成否を判断するステップと、送信手段によって成否について、送信先に送信するステップとをさらに有する。
【００１６】
請求項９記載の発明は、簡易ＴＴＲ  Ｍａｎａｇｅｒに、定期ポーリング手段によって簡易ＴＴＲに定期的にポーリングをかけるステップを実行させ、簡易ＴＴＲに、電話手段によって着信および発信を行なうステップと、簡易ＴＴＲが正常に着呼したかを判断し、表示手段によって判断結果を表示するステップと、記録手段によって判断結果を記録するステップとを実行させることを特徴とするプログラムである。
【００１７】
請求項１０記載の発明は、電話機に、任意発呼手段によって簡易ＴＴＲに任意に発呼するステップを実行させ、簡易ＴＴＲに、電話手段によって着信および発信を行なうステップと、発音手段によって自動着信した後何らかの音を発して、その後自動的に通話を切断するステップとを実行させ、簡易ＴＴＲ  Ｍａｎａｇｅｒに、簡易ＴＴＲが正常に着呼したかを判断し、表示手段によって判断結果を表示するステップと、記録手段によって判断結果を記録するステップとを実行させることを特徴とするプログラムである。
【００１８】
請求項１１記載の発明は、請求項９または１０記載のプログラムにおいて、簡易ＴＴＲ  Ｍａｎａｇｅｒまたは電話機に、複数回発呼手段によって簡易ＴＴＲに所定期間内に複数回発呼するステップをさらに実行させ、簡易ＴＴＲに、複数回発呼をトリガとして発呼先番号宛てに自動発呼するステップをさらに実行させる。
【００１９】
請求項１２記載の発明は、請求項１１記載のプログラムにおいて、簡易ＴＴＲに、定期発呼手段によって発呼先番号に対して定期的に発呼を実施するステップと、判断手段によって発呼の成否を判断するステップと、送信手段によって成否について、送信先に送信するステップとをさらに実行させる。
【発明の効果】
【００２０】
本発明の電波状況確認システム、その方法およびプログラムによれば、任意の地点において通話が可能か否かを定期的あるいは任意のタイミングで確認することができる。
【発明を実施するための最良の形態】
【００２１】
次に、本発明の第１の実施の形態の構成について図面を参照して説明する。
【００２２】
本発明の第１の実施の形態における電波状況確認システムは、「センターポーリングモード」であり、簡易ＴＴＲが簡易ＴＴＲ  Ｍａｎａｇｅｒからのポーリングにより、自動的に定期着呼するものである。
【００２３】
ここで、ＴＴＲ（Test Transimitter and Recevier Equipment）とは、試験送受信装置をいい、基地局装置の試験を目的とした送受信装置であり、制御部（ＣＯＮＴ）を有し、ＯＰＥ卓からの指令により遠隔で試験呼を実行するほか、キー操作により移動機としても使用したり、各種実験を行うことができるものである。そして、「簡易ＴＴＲ」と呼称しているのは、一般的なＴＴＲよりもより簡素な構成と機能を備えるものだからである。
【００２４】
図１を参照すると、本実施形態における電波状況確認システムは、携帯電話機とその制御部からなる簡易ＴＴＲ１００と、簡易ＴＴＲ１００に対して定期的にポーリングをかける定期ポーリング部１０１を用いる簡易ＴＴＲ  Ｍａｎａｇｅｒ１０２と、簡易ＴＴＲ１００に対して任意に発呼する任意発呼部１０３を用いる電話機１０４から構成されている。
【００２５】
定期ポーリング部１０１においては、簡易ＴＴＲ１００一台に対してでも、ＴＴＲ１００'、ＴＴＲ１００''、・・・と複数台に対してでも可能である。
【００２６】
また、本実施形態において、電話機１０４から簡易ＴＴＲ１００に対して２分以内に２回発呼する複数回発呼部１０５を用いた場合には、簡易ＴＴＲ１００が複数回発呼部１０５をトリガとして自動発呼する発呼先番号１０６も構成に加わる。
【００２７】
次に、図３を参照して、本発明の第１の実施の形態における、電波状況を確認する処理のフローを詳細に説明する。
【００２８】
フローチャート１（定期的着呼確認）において、まず、簡易ＴＴＲ  Ｍａｎａｇｅｒ１０２の定期ポーリング部１０１は、簡易ＴＴＲ１００に対してポーリングを実施する（Ｓ３０１）。
【００２９】
次に、ポーリングを受けた簡易ＴＴＲ１００は、自動着信した後自動的に通話を切断する（Ｓ３０２）。
【００３０】
その際、簡易ＴＴＲ  Ｍａｎａｇｅｒ１０２側は、簡易ＴＴＲ１００が正常に着呼したかどうかを判断する（Ｓ３０３）。
【００３１】
その後、簡易ＴＴＲ  Ｍａｎａｇｅｒ１０２は判断結果を表示し、記録する（Ｓ３０４）。
【００３２】
フローチャート２（任意の着呼／発呼確認）においては、まず、電話機１０４の任意発呼部１０３から簡易ＴＴＲ１００に対して、試験者が任意に電話をかける（Ｓ３１１）。なお、電話機１０４については、固定電話機等であってもよく電話の種類は問わない。
【００３３】
次に、簡易ＴＴＲ１００において、自動着信した後何らかの音を発し、その後自動的に通話を切断する（Ｓ３１２）。
その際、電話機１０４側では、簡易ＴＴＲ１００にて発せられた音により、簡易ＴＴＲ１００での着信の可否を判断する（Ｓ３１３）。
【００３４】
発呼試験を行う場合（Ｓ３１４／Ｙｅｓ）には、例えば２分間隔以内等の予め設定した時間間隔内で簡易ＴＴＲ１００に対して２回電話をかけると、それをトリガとして簡易ＴＴＲ１００から登録してある特定番号１０５に対して発呼する。
【００３５】
まず、ステップ５から、あらかじめ設定した時間間隔内で電話機１０４からの再発呼（手段１０３）を簡易ＴＴＲ１００に対して行う（Ｓ３１５）。
【００３６】
設定時間間隔内に２回連続で着呼した簡易ＴＴＲ１００は、一旦自己リセットを行った後、登録してある特定番号１０５に電話をかける（Ｓ３１６）。
【００３７】
番号１０５にて、簡易ＴＴＲ１００より電話がかかってくるかどうかで、簡易ＴＴＲ１００の発呼成否が確認できる（Ｓ３１７）。
【００３８】
次に、本発明の第２の実施の形態の構成について図面を参照して説明する。
【００３９】
本発明の第２の実施の形態における電波状況確認システムは、「自動発呼モード」であり、簡易ＴＴＲが自動的に定期発呼するものである。
【００４０】
図２を参照すると、本実施形態における電波状況確認システムは、携帯電話機とその制御部からなる簡易ＴＴＲ２００と、簡易ＴＴＲ２００から定期的に発呼する定期発呼部２０１を実行する際の発呼先番号２０２と、発呼先番号２０２への発呼の成否を簡易ＴＴＲ２００が判断してＳＭＳにて送信する送信部２０３の送信先携帯電話機２０４と、簡易ＴＴＲと接点接続される無線基地局２０５と、無線基地局２０５の送信するアラームを受信して表示する監視卓２０６と、簡易ＴＴＲ２００に対して任意に発呼する任意発呼部２０７を実行する電話機２０８から構成されている。このうち無線基地局２０５および監視卓２０６は省略することも可能である。
【００４１】
次に、図４を参照して、本発明の第２の実施の形態における、電波状況を確認する処理のフローを詳細に説明する。
【００４２】
フローチャート３（定期的発呼確認）において、まず、簡易ＴＴＲ２００の定期発呼部２０１は、発呼先番号２０２に対して発呼を実施する（Ｓ４０１）。
【００４３】
次に、簡易ＴＴＲ２００自体が、発呼の成否を判断し（Ｓ４０２）、成否について、送信先として設定した携帯電話機２０４に対して、送信部２０３は、ＳＭＳを用いて送信（Ｓ４０３）。
【００４４】
ここで、接点接続された無線基地局２０５がある場合（Ｓ４０４／Ｙｅｓ）には、簡易ＴＴＲ２００から、上記のステップＳ４０２において判断した発呼の成功あるいは失敗についての情報を、接点接続された無線基地局２０５に伝える（Ｓ４０５）。
【００４５】
無線基地局２０５は、監視卓２０６に対して、簡易ＴＴＲ２００から伝達された発呼の成功あるいは失敗についての情報を伝える（Ｓ４０６）。
【００４６】
フローチャート４（任意の着呼確認）においては、フローチャート２と同様に、まず、電話機２０８の任意発呼部２０７は、簡易ＴＴＲ２００に対して、試験者が任意に電話をかける（Ｓ４１１）。なお、電話機２０８については、固定電話機等であってもよく電話の種類は問わない。
【００４７】
次に、簡易ＴＴＲ２００において、自動着信した後何らかの音を発し、その後自動的に通話を切断する（Ｓ４１２）。
【００４８】
その際、電話機２０８側では、簡易ＴＴＲ２００にて発せられた音により、簡易ＴＴＲ２００での着信の可否を判断する（Ｓ４１３）。
【００４９】
上記の各実施の形態によれば、簡易ＴＴＲの自動発呼あるいは自動着呼機能を用いることにより、電波状況の異常状態をいち早く検知できることである。その理由は、定期的な発呼あるいは着呼が行われることで、異常を見過ごしにくくなるためである。
【００５０】
また、自動発呼あるいは着呼機能の他に、簡易ＴＴＲに任意に着呼あるいは発呼させることで、「発呼」と「着呼」双方の確認が可能となる。簡易ＴＴＲでなく携帯電話機を設置しておいた場合は、着呼の確認は可能であるが発呼の確認は不可能であったが、簡易ＴＴＲであれば発呼機能を有するために双方向の確認ができる。
【００５１】
また、第１の実施の形態では、２回着呼をトリガとして自動発呼させることにより、着呼を確認した試験者が引き続き連続的に発呼の確認も行なうことができる。
【００５２】
次に、本発明の第３の実施の形態の構成について図面を参照して説明する。
【００５３】
本発明の第３の実施の形態における電波状況確認システムも、「自動発呼モード」であり、簡易ＴＴＲが自動的に定期発呼するものである。
【００５４】
図５を参照すると、本実施形態における電波状況確認システムは、携帯電話機とその制御部からなる簡易ＴＴＲ３００と、簡易ＴＴＲ３００から定期的に発呼する定期発呼部３０１による発呼先番号３０２と、発呼先番号３０２への発呼の成否その他簡易ＴＴＲを構成する携帯電話機から取得可能な情報を簡易ＴＴＲ３００より電子メールにて送信する電子メール送信部３０３の送信先３０４と、簡易ＴＴＲと接点接続される無線基地局３０５と、無線基地局３０５の送信するアラームを受信して表示する監視卓３０６と、簡易ＴＴＲ３００に対して任意に発呼する任意発呼部３０７をとる携帯電話機３０８から構成されている。このうち無線基地局３０５および監視卓３０６は省略することも可能である。また、電子メール送信部３０３の電子メール送信先３０４については、携帯電話機であってもパーソナルコンピュータ等であってもよい。
【００５５】
上記の第３の実施の形態によれば、簡易ＴＴＲの自動発呼あるいは自動着呼機能を用いることにより、電波状況の異常状態をいち早く検知できる。その理由は、定期的な発呼あるいは着呼が行われることで、異常を見過ごしにくくなるためである。
【００５６】
また、自動発呼あるいは着呼機能の他に、簡易ＴＴＲに任意に着呼あるいは発呼させることで、「発呼」と「着呼」双方の確認が可能であることである。簡易ＴＴＲでなく携帯電話機を設置しておいた場合は、着呼の確認は可能であるが発呼の確認は不可能であったが、簡易ＴＴＲであれば発呼機能を有するために双方向の確認ができる。
【００５７】
また、簡易ＴＴＲ３００を構成する携帯電話機より発呼の成否以外の情報をも取得できる場合には、より詳細な電波状況を、オペレータが現地に赴くことなく定期的に取得することができる。
【００５８】
次に、本発明の第４の実施の形態の構成について図面を参照して説明する。
【００５９】
本発明の第４の実施の形態における電波状況確認システムも、「自動発呼モード」であり、簡易ＴＴＲが自動的に定期発呼するものである。
【００６０】
図６を参照すると、本実施形態における電波状況確認システムは、携帯電話機とその制御部からなる簡易ＴＴＲ４００と、簡易ＴＴＲ４００から定期的にＰＳ発呼するＰＳ発呼部４０１の発呼先である特定Ｗｅｂサイト４０２と、特定Ｗｅｂサイト４０２へのＰＳ発呼の成否その他簡易ＴＴＲを構成する携帯電話機から取得可能な情報を簡易ＴＴＲ４００より電子メールにて送信する電子メール送信部４０３の送信先４０４と、簡易ＴＴＲと接点接続される無線基地局４０５と、無線基地局４０５の送信するアラームを受信して表示する監視卓４０６と、簡易ＴＴＲ４００に対して任意に発呼する任意発呼部４０７をとる携帯電話機４０８から構成されている。このうち無線基地局４０５と監視卓４０６は省略することも可能である。
【００６１】
上記の第４の実施の形態によれば、簡易ＴＴＲの自動発呼機能を用いることにより、電波状況の異常状態をいち早く検知できる。その理由は、定期的な発呼が行われることで、異常を見過ごしにくくなるためである。
【００６２】
また、自動ＰＳ発呼の他に、簡易ＴＴＲに任意にＡＭＲ着呼あるいはＡＭＲ発呼させることで、ＰＳ発呼だけでなくＡＭＲ「発呼」と「着呼」双方の確認が可能である。
【００６３】
また、簡易ＴＴＲ４００を構成する携帯電話機より発呼の成否以外の情報をも取得できる場合には、より詳細な電波状況をオペレータが現地に赴くことなく定期的に取得することができる。
【００６４】
次に、本発明の第５の実施の形態の構成について図面を参照して説明する。
【００６５】
本発明の第５の実施の形態における電波状況確認システムは、上記の第１〜第４の実施の形態に共通した一部分に改良を加えたものである。
【００６６】
図７を参照すると、本実施形態における電波状況確認システムは、図１より簡易ＴＴＲ１００と、簡易ＴＴＲ１００に対して任意に発呼する任意発呼部１０３を用いる電話機１０４を抜粋したものである。これは、図２において、簡易ＴＴＲ２００と、簡易ＴＴＲ２００に対して任意に発呼する任意発呼部２０７を実行する電話機２０８を抜粋したものと同等である。
【００６７】
図８を参照すると、まず、簡易ＴＴＲ１００（あるいは２００）の任意発呼部１０３（あるいは任意発呼部２０７）は、電話機１０４（あるいは２０８）より任意の発呼を受け（Ｓ８０１）て、自動的に応答を行なう（Ｓ８０２）。
【００６８】
この時、応答処理において、予め決まった秒数のみ、電話機１０４（あるいは２０８）より発せられる音声を折り返して電話機１０４（あるいは２０８）の発信者に聞かせてから通話を切る（Ｓ８０３）ことで、通話時に「下り方向」と「上り方向」双方の通信状況を音声にて確認する（Ｓ８０４）。
【００６９】
上記の第５の実施の形態によれば、通話時に「下り方向」と「上り方向」双方の通信状況を音声にて確認することができる。
【００７０】
なお、上述する各実施の形態は、本発明の好適な実施の形態であり、本発明の要旨を逸脱しない範囲内において種々変更実施が可能である。例えば、上記の実施の形態における簡易ＴＴＲ１００等と、簡易ＴＴＲ  Ｍａｎａｇｅｒ１０２等と、電話機１０４等の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【図面の簡単な説明】
【００７１】
【図１】本発明の第１の実施形態における電波状況確認システムの概略構成を示す図である。
【図２】本発明の第２の実施形態における電波状況確認システムの概略構成を示す図である。
【図３】本発明の第１の実施形態における電波状況を確認する処理動作を示すフローチャートである。
【図４】本発明の第２の実施形態における電波状況を確認する処理動作を示すフローチャートである。
【図５】本発明の第３の実施形態における電波状況確認システムの概略構成を示す図である。
【図６】本発明の第４の実施形態における電波状況確認システムの概略構成を示す図である。
【図７】本発明の第５の実施形態における電波状況確認システムの概略構成を示す図である。
【図８】本発明の第５の実施形態における電波状況を確認する処理動作を示すフローチャートである。
【符号の説明】
【００７２】
１００    簡易ＴＴＲ
１０１    定期ポーリング部
１０２    簡易ＴＴＲ  Ｍａｎａｇｅｒ
１０３    任意発呼部
１０４    電話機
１０５    複数回発呼部
１０６    発呼先番号
【図１】
2006166380.tif 000003
【図２】
2006166380.tif 000004
【図３】
2006166380.tif 000005
【図４】
2006166380.tif 000006
【図５】
2006166380.tif 000007
【図６】
2006166380.tif 000008
【図７】
2006166380.tif 000009
【図８】
2006166380.tif 000010